【手続補正書】
【提出日】令和3年4月30日(2021.4.30)
【手続補正１】
【補正対象書類名】特許請求の範囲
【補正対象項目名】全文
【補正方法】変更
【補正の内容】
【特許請求の範囲】
【請求項１】
地下エリアの速度モデルを生成するためのコンピュータにより実施される方法であって、
データ処理装置において震源波動場及び残差波動場を取得するステップであって、前記震源波動場及び前記残差波動場は、前記地下エリアに関連付けられた地震データに基づき計算される、ステップと；
前記データ処理装置によって、前記震源波動場及び前記残差波動場を地下の方位角及び反射角ドメインに分解するステップであって、前記震源波動場及び前記残差波動場を前記地下の方位角及び反射角ドメインに分解する前記ステップは、複数の時間ステップにおいて、地下方位角と地下反射角に基づいて、分解された前記震源波動場及び分解された前記残差波動場を計算するステップを備える、ステップと；
前記データ処理装置によって、前記分解された震源波動場及び前記残差波動場に基づき複数の勾配方向成分を計算するステップと；
前記データ処理装置によって、前記複数の勾配方向成分の各々に関連付けられた方位角及び角度に基づき前記複数の勾配方向成分をスケーリング処理するステップと；
前記データ処理装置によって、前記スケーリング処理された勾配方向成分に基づき勾配方向を計算するステップと；
前記勾配方向を用いて前記速度モデルを生成するステップと；を備える、
コンピュータにより実施される方法。
【請求項２】
反復プロセスを用いて前記速度モデルを更新するステップであって、前記反復プロセスおける各反復において、異なるスケーリング係数が使用される、ステップを更に備える、
請求項１に記載の方法。
【請求項３】
前記反復プロセスは、第１反復及び第２反復を含み、第１角度に対応する第１スケーリング係数が前記第１反復において使用され、第２角度に対応する第２スケーリング係数が前記第２反復において使用され、前記第１角度は前記第２角度より大きい、
請求項２に記載の方法。
【請求項４】
前記分解するステップは、オプティカルフロープロセスを使用して実行される、
請求項１に記載の方法。
【請求項５】
前記スケーリング処理するステップは、方位角及び反射角の範囲に基づき前記複数の勾配方向成分に対してフィルタを適用するステップを備える、
請求項１に記載の方法。
【請求項６】
前記スケーリング処理するステップは、前記複数の勾配方向成分の各々をそれぞれの重み係数で重み付けする重み関数を適用するステップを備える、
請求項１に記載の方法。
【請求項７】
前記分解するステップは、オプティカルフロープロセスを用いて反射角を計算するステップを備える、
請求項１に記載の方法。
【請求項８】
実行時にコンピューティングデバイスに所定の動作を実行させる命令を格納した非一時的なコンピュータ読取可能媒体であって、前記動作は、
データ処理装置において、震源波動場及び残差波動場を取得する処理であって、前記震源波動場及び前記残差波動場は、地下エリアに関連付けられた地震データに基づき計算される、処理と；
前記データ処理装置によって、前記震源波動場及び前記残差波動場を地下の方位角及び反射角ドメインに分解する処理であって、前記震源波動場及び前記残差波動場を前記地下の方位角及び反射角ドメインに分解する前記処理は、複数の時間ステップにおいて、地下方位角と地下反射角に基づいて、分解された前記震源波動場及び分解された前記残差波動場を計算する処理を備える、処理と；
前記データ処理装置によって、前記分解された震源波動場及び前記残差波動場に基づき複数の勾配方向成分を計算する処理と；
前記データ処理装置によって、前記複数の勾配方向成分の各々に関連付けられた方位角及び角度に基づき前記複数の勾配方向成分をスケーリング処理する処理と；
データ処理装置によって、前記スケーリング処理された勾配方向成分に基づき勾配方向を計算する処理と；
前記勾配方向を用いて速度モデルを生成する処理と；を備える、
非一時的なコンピュータ読取可能媒体。
【請求項９】
前記動作は、反復プロセスを用いて前記速度モデルを更新する処理であって、前記反復プロセスの各反復は、異なるスケーリング係数が使用される、処理を更に備える、
請求項８に記載の非一時的なコンピュータ読取可能媒体。
【請求項１０】
前記反復プロセスは、第１反復及び第２反復を含み、第１角度に対応する第１スケーリング係数が前記第１反復において使用され、第２角度に対応する第２スケーリング係数が前記第２反復において使用され、前記第１角度は前記第２角度より大きい、
請求項９に記載の非一時的なコンピュータ読取可能媒体。
【請求項１１】
前記分解する処理は、オプティカルフロープロセスを用いて実行される、
請求項８に記載の非一時的なコンピュータ読取可能媒体。
【請求項１２】
前記スケーリング処理する処理は、方位角及び反射角の範囲に基づき前記複数の勾配方向成分に対してフィルタを適用する処理を備える、
請求項８に記載の非一時的なコンピュータ読取可能媒体。
【請求項１３】
前記スケーリング処理する処理は、前記複数の勾配方向成分の各々をそれぞれの重み係数を用いて重み付けする重み関数を適用する処理を備える、
請求項８に記載の非一時的なコンピュータ読取可能媒体。
【請求項１４】
前記分解する処理は、オプティカルフロープロセスを用いて反射角を計算する処理を備える、
請求項８に記載の非一時的なコンピュータ読取可能媒体。
【請求項１５】
少なくとも１つのハードウェアプロセッサと；
前記少なくとも１つのハードウェアプロセッサに結合され、前記少なくとも１つのハードウェアプロセッサにより実行されるプログラミング命令を格納する非一時的なコンピュータ読取可能媒体であって、前記プログラミング命令は、実行時に前記少なくとも１つのハードウェアプロセッサに所定の動作を実行させるものであり、前記動作は、
地下エリアに関連付けられた地震データに基づき計算された震源波動場及び残差波動場を取得する処理と；
前記震源波動場及び前記残差波動場を地下の方位角及び反射角ドメインに分解する処理であって、前記震源波動場及び前記残差波動場を前記地下の方位角及び反射角ドメインに分解する処理は、複数の時間ステップにおいて、地下方位角と地下反射角に基づいて、分解された前記震源波動場及び分解された前記残差波動場を計算する処理を備える、処理と；
前記分解された震源波動場及び前記残差波動場に基づき複数の勾配方向成分を計算する処理と；
前記複数の勾配方向成分の各々に関連付けられた方位角及び角度に基づき前記複数の勾配方向成分をスケーリング処理する処理と；
前記スケーリング処理された勾配方向成分に基づき勾配方向を計算する処理と；
前記勾配方向を用いて速度モデルを生成する処理と；を備える、前記非一時的なコンピュータ読取可能媒体と；を備える、
デバイス。
【請求項１６】
前記動作は、反復プロセスを用いて前記速度モデルを更新する処理であって、前記反復プロセスの各反復は、異なるスケーリング係数が使用される、処理を更に備える、
請求項１５に記載のデバイス。
【請求項１７】
前記反復プロセスは、第１反復及び第２反復を含み、第１角度に対応する第１スケーリング係数が前記第１反復に使用され、第２角度に対応する第２スケーリング係数が前記第２反復に使用され、前記第１角度は前記第２角度よりも大きい、
請求項１６に記載のデバイス。
【請求項１８】
前記分解する処理は、オプティカルフロープロセスを用いて実行される、
請求項１５に記載のデバイス。
【請求項１９】
前記スケーリング処理する処理は、方位角及び反射角の範囲に基づき前記複数の勾配方向成分に対してフィルタを適用する処理を備える、
請求項１５に記載のデバイス。
【請求項２０】
前記スケーリング処理する処理は、前記複数の勾配方向成分の各々をそれぞれの重み係数を用いて重み付けする重み関数を適用する処理を備える、
請求項１５に記載のデバイス。
【手続補正２】
【補正対象書類名】明細書
【補正対象項目名】０１１４
【補正方法】変更
【補正の内容】
【０１１４】
これに従って、例示的な実施の上述した説明は、本願を定義又は制約しない。他の変更、置換及び変更も、本開示の範囲及び精神から逸脱することなく可能である。
以下、本発明の実施の態様の例を列挙する。
［第１の局面］
地下エリアの速度モデルを生成するためのコンピュータにより実施される方法であって：
データ処理装置において震源波動場及び残差波動場を取得するステップであって、前記震源波動場及び前記残差波動場は、前記地下エリアに関連付けられた地震データに基づき計算される、ステップと；
前記データ処理装置によって、前記震源波動場及び前記残差波動場を地下の方位角及び反射角ドメインに分解するステップと；
前記データ処理装置によって、前記分解された震源波動場及び前記残差波動場に基づき複数の勾配方向成分を計算するステップと；
前記データ処理装置によって、前記複数の勾配方向成分の各々に関連付けられた方位角及び角度に基づき前記複数の勾配方向成分をスケーリング処理するステップと；
前記データ処理装置によって、前記スケーリング処理された勾配方向成分に基づき勾配方向を計算するステップと；
前記勾配方向を用いて前記速度モデルを生成するステップと；を備える、
コンピュータにより実施される方法。
［第２の局面］
反復プロセスを用いて前記速度モデルを更新するステップであって、前記反復プロセスおける各反復において、異なるスケーリング係数が使用される、ステップを更に備える、
第１の局面に記載の方法。
［第３の局面］
前記反復プロセスは、第１反復及び第２反復を含み、第１角度に対応する第１スケーリング係数が前記第１反復において使用され、第２角度に対応する第２スケーリング係数が前記第２反復において使用され、前記１角度は前記２角度より大きい、
第２の局面に記載の方法。
［第４の局面］
前記分解するステップは、オプティカルフロープロセスを使用して実行される、
第１の局面に記載の方法。
［第５の局面］
前記スケーリング処理するステップは、方位角及び角度の範囲に基づき前記複数の勾配方向成分に対してフィルタを適用するステップを備える、
第１の局面に記載の方法。
［第６の局面］
前記スケーリング処理するステップは、前記複数の勾配方向成分の各々をそれぞれの重み係数で重み付けする重み関数を適用するステップを備える、
第１の局面に記載の方法。
［第７の局面］
前記分解するステップは、前記オプティカルフロープロセスを用いて反射角を計算するステップを備える、
第１の局面に記載の方法。
［第８の局面］
実行時にコンピューティングデバイスに所定の動作を実行させる命令を格納した非一時的なコンピュータ読取可能媒体であって、前記動作は：
データ処理装置において、震源波動場及び残差波動場を取得する処理であって、前記震源波動場及び前記残差波動場は、地下エリアに関連付けられた地震データに基づき計算される、処理と；
前記データ処理装置によって、前記震源波動場及び前記残差波動場を地下の方位角及び反射角ドメインに分解する処理と；
前記データ処理装置によって、前記分解された震源波動場及び前記残差波動場に基づき複数の勾配方向成分を計算する処理と；
前記データ処理装置によって、前記複数の勾配方向成分の各々に関連付けられた方位角及びび角度に基づき前記複数の勾配方向成分をスケーリング処理する処理と；
データ処理装置によって、前記スケーリング処理された勾配方向成分に基づき勾配方向を計算する処理と；
前記勾配方向を用いて速度モデルを生成する処理と；を備える、
非一時的なコンピュータ読取可能媒体。
［第９の局面］
前記動作は、反復プロセスを用いて前記速度モデルを更新する処理であって、前記反復プロセスの各反復は、異なるスケーリング係数が使用される、処理を更に備える、
第８の局面に記載の非一時的なコンピュータ読取可能媒体。
［第１０の局面］
前記反復プロセスは、第１反復及び第２反復を含み、第１角度に対応する第１スケーリング係数が前記第１反復において使用され、第２角度に対応する第２スケーリング係数が前記第２反復において使用され、前記第１角度は前記第２角度より大きい、
第９の局面に記載の非一時的なコンピュータ読取可能媒体。
［第１１の局面］
前記分解する処理は、オプティカルフロープロセスを用いて実行される、
第８の局面に記載の非一時的なコンピュータ読取可能媒体。
［第１２の局面］
前記スケーリング処理する処理は、方位角及び角度の範囲に基づき前記複数の勾配方向成分に対してフィルタを適用する処理を備える、
第８の局面に記載の非一時的なコンピュータ読取可能媒体。
［第１３の局面］
前記スケーリング処理する処理は、前記複数の勾配方向成分の各々をそれぞれの重み係数を用いて重み付けする重み関数を適用する処理を備える、
第８の局面に記載の非一時的なコンピュータ読取可能媒体。
［第１４の局面］
前記分解する処理は、前記オプティカルフロープロセスを用いて反射角を計算する処理を備える、
第８の局面に記載の非一時的なコンピュータ読取可能媒体。
［第１５の局面］
少なくとも１つのハードウェアプロセッサと；
前記少なくとも１つのハードウェアプロセッサに結合され、前記少なくとも１つのハードウェアプロセッサにより実行されるプログラミング命令を格納する非一時的なコンピュータ読取可能媒体であって、前記プログラミング命令は、実行時に前記少なくとも１つのハードウェアプロセッサに所定の動作を実行させるものであり、前記動作は：
地下エリアに関連付けられた地震データに基づき計算された震源波動場及び残差波動場を取得する処理と；
前記震源波動場及び前記残差波動場を地下の方位角及び反射角ドメインに分解する処理と；
前記分解された震源波動場及び前記残差波動場に基づき複数の勾配方向成分を計算する処理と；
前記複数の勾配方向成分の各々に関連付けられた方位角及び角度に基づき前記複数の勾配方向成分をスケーリング処理する処理と；
前記スケーリング処理された勾配方向成分に基づき勾配方向を計算する処理と；
前記勾配方向を用いて速度モデルを生成する処理と；を備える、前記非一時的なコンピュータ読取可能媒体と；を備える、
デバイス。
［第１６の局面］
前記動作は、反復プロセスを用いて前記速度モデルを更新する処理であって、前記反復プロセスの各反復は、異なるスケーリング係数が使用される、処理を更に備える、
第１５の局面に記載のデバイス。
［第１７の局面］
前記反復プロセスは、第１反復及び第２反復を含み、第１角度に対応する第１スケーリング係数が前記第１反復に使用され、第２角度に対応する第２スケーリング係数が前記第２反復に使用され、前記第１角度は前記２角度よりも大きい、
第１６の局面に記載のデバイス。
［第１８の局面］
前記分解する処理は、オプティカルフロープロセスを用いて実行される、
第１５の局面に記載のデバイス。
［第１９の局面］
前記スケーリング処理する処理は、方位角及び角度の範囲に基づき前記複数の勾配方向成分に対してフィルタを適用する処理を備える、
第１５の局面に記載のデバイス。
［第２０の局面］
前記スケーリング処理する処理は、前記複数の勾配方向成分の各々をそれぞれの重み係数を用いて重み付けする重み関数を適用する処理を備える、
第１５の局面に記載のデバイス。